(57)【要約】【課題】本発明は、補聴器フィッティング装置と、それを用いた補聴器フィッティング方法に関するもので、使い勝手を向上することを目的とするものである。【解決手段】本発明の補聴器フィッティング装置と、それを用いた補聴器フィッティング方法は、補聴器フィッティング装置１の表示部８に距離イメージ画像を表示させるとともに、その距離イメージ画像に対応した音源距離からの音声データを補聴器フィッティング装置１の通信部２から補聴器１０に対して出力し、補聴器１０のフィッティング時において音源位置からの距離というものを理解した状態でフィッティングを行っているので、フィッティングに対して満足感を極めて高いものとすることができる。【選択図】図１
2015046663.tif 000002
【特許請求の範囲】
【請求項１】
補聴器への音声データを出力させる出力部と、
この出力部に接続された制御部と、
この制御部に接続された表示部と、を備え、
前記制御部は、前記表示部に補聴器装着者に対する距離イメージ画像を表示させるとともに、前記表示部に表示された前記距離イメージ画像に対応する前記音声データを前記出力部から前記補聴器へ出力させる構成とした補聴器フィッティング装置。
【請求項２】
前記制御部は、前記表示部に前記距離イメージ画像とともに、前記距離イメージ画像に対応する距離を示す指標を表示させる構成とした請求項１に記載の補聴器フィッティング装置。
【請求項３】
前記距離を示す指標が数値である請求項２に記載の補聴器フィッティング装置。
【請求項４】
前記制御部は、前記距離イメージ画像に対応する環境音データを前記音声データとともに前記出力部から前記補聴器へ出力させる構成とした請求項１から請求項３のいずれか一項に記載の補聴器フィッティング装置。
【請求項５】
前記制御部は、前記距離イメージ画像を反映させた複数の場面画像を選択的に表示させる構成とした請求項１から請求項４のいずれか一項に記載の補聴器フィッティング装置。
【請求項６】
請求項１から請求項５のいずれか一項に記載の補聴器フィッティング装置を用いた補聴器フィッティング方法であって、
前記表示部に前記補聴器装着者に対する第一の距離イメージ画像を表示させるとともに、前記表示部に表示された前記第一の距離イメージ画像に対応する前記音声データを前記出力部から前記補聴器へ出力させ、
次に、前記表示部に前記補聴器装着者に対する第二の距離イメージ画像を表示させるとともに、前記表示部に表示された前記第二の距離イメージ画像に対応する前記音声データを前記出力部から前記補聴器へ出力させる補聴器フィッティング方法。
【請求項７】
前記表示部に、前記距離イメージ画像を反映させた複数の場面画像を選択的に表示させる請求項６に記載の補聴器フィッティング方法。
【発明の詳細な説明】
【技術分野】
【０００１】
本発明は、例えば、補聴器によって補聴処理される音声などの調整において利用される補聴器フィッティング装置と、それを用いた補聴器フィッティング方法に関するものである。
【背景技術】
【０００２】
従来のこの種、補聴器フィッティング装置は、音声を四方から出力するスピーカと、これらのスピーカから出力される音源に対応する画像を出力する表示部とを備えた構成となっている（これに類似する先行文献としては下記特許文献１が存在する）。
【先行技術文献】
【特許文献】
【０００３】
【特許文献１】特開２００５−２８６８７６号公報
【発明の概要】
【発明が解決しようとする課題】
【０００４】
上記従来例においては、例えば、表示部に交差点のイメージを表示させるとともに、スピーカからはこの交差点近傍での会話音声を出力させることで実使用に対応する補聴器フィッティングを行おうとしている。
【０００５】
しかしながら、実使用時においては、その交差点から何メータ（ｍ）離れた状態で、しかも会話者との距離がどの程度あるかによって聞こえ方は大きく異なるので、上述した交差点のイメージを見ながら補聴器フィッティングを行っただけでは実使用時において聞き取り難い状況が発生することもある。
【０００６】
つまり、補聴器装着者は、フィッティング時に交差点のイメージを見ながらフィッティングを行ったにもかかわらず、実際の交差点近傍において聞き取り難い状況が発生すると極めて強い不満を感じるものとなる。
【０００７】
そこで本発明は、補聴器装着者の満足感を高めることを目的とするものである。
【課題を解決するための手段】
【０００８】
そして、この目的を達成するために本発明は、補聴器への音声データを出力させる出力部と、この出力部に接続された制御部と、この制御部に接続された表示部と、を備え、前記制御部は、前記表示部に補聴器装着者に対する距離イメージ画像を表示させるとともに、前記表示部に表示された前記距離イメージ画像に対応する前記音声データを前記出力部から前記補聴器へ出力させる構成とし、これにより所期の目的を達成するものである。
【発明の効果】
【０００９】
以上のように本発明は、補聴器への音声データを出力させる出力部と、この出力部に接続された制御部と、この制御部に接続された表示部と、を備え、前記制御部は、前記表示部に補聴器装着者に対する距離イメージ画像を表示させるとともに、前記表示部に表示された前記距離イメージ画像に対応する前記音声データを前記出力部から前記補聴器へ出力させる構成としたものであるので、補聴器装着者の満足感を高めることができる。
【００１０】
すなわち、本発明においては、フィッティング時において音源位置からの距離というものを理解した状態でフィッティングを行っているので、例えば、この程度距離が遠ければ聞き取り難いのは当たり前、あるいは聞き取るためにはもう少し近づく必要があることも容易に理解でき、つまり、フィッティングに対する補聴器装着者の満足感の極めて高いものとなるのである。
【図面の簡単な説明】
【００１１】
【図１】本発明の一実施形態に係る補聴器フィッティング装置のブロック図
【図２】同補聴器フィッティング装置の使用状態を説明する図
【図３】同補聴器フィッティング装置の使用方法を説明するフローチャート
【図４】同補聴器フィッティング装置の使用方法を説明する図
【発明を実施するための形態】
【００１２】
以下、本発明の一実施形態を、添付図面を用いて詳細に説明する。
【００１３】
（実施の形態１）
図１に示すごとく、本実施形態における補聴器フィッティング装置１は、音声データを出力させる通信部２（出力部の一例）と、この通信部２に接続された制御部３と、この制御部３に接続された入力部４と、を備えている。
【００１４】
入力部４は、例えばマウスやキーボードなどの入力装置であって、調整者がこの入力部４を操作して、図２に示す補聴器１０から補聴処理されて出力される音声が補聴器装着者にとって快適に聞こえるように、補聴器１０のフィッティングを行う。
【００１５】
通信部２は、制御部３に接続された音声補正部５を介して画像音声蓄積部６に接続されている。
【００１６】
この画像音声蓄積部６には、制御部３に接続された画像補正部７を介して表示部８が、さらに接続されている。
【００１７】
画像音声蓄積部６は補聴器１０のフィッティングを行う場合に、補聴器装着者に「聞こえ」を評価させるために視聴させる音声データや距離イメージ画像などを格納している。
【００１８】
距離イメージ画像は、音声データの音源距離を補聴器装着者に認識させる画像であって、この点は、後で詳細に説明する。
【００１９】
また、制御部３にはメモリ９がさらに接続され、補聴器装着者の聴力データや過去のフィッティングデータなどを保存している。
【００２０】
そして、制御部３は、補聴器フィッティング装置１の表示部８に補聴器装着者に対する距離イメージ画像を表示させるとともに、その距離イメージ画像に対応した音源距離からの音声データを補聴器フィッティング装置１の通信部２から図２の補聴器１０に対して出力させる。
【００２１】
通信部２から出力された音声データは図２に示す補聴器１０に入力される。
【００２２】
補聴器１０は、図２に示すごとく、補聴器装着者に対して音声を出力するスピーカ１１を備え、このスピーカ１１は補聴処理部１２を介して制御部１３に接続されている。
【００２３】
制御部１３には、さらに通信部１４が接続され、この通信部１４に補聴器フィッティング装置１の通信部２から出力された音声データが入力される。
【００２４】
また、補聴処理部１２にはマイクロフォン１５が接続され、このマイクロフォン１５に入力された音声を補聴処理部１２で補聴装着者にとって快適に聞こえるように補聴処理した音声がスピーカ１１から補聴器装着者に対して出力される。
【００２５】
また、制御部３にはメモリ１６がさらに接続され、このメモリ１６は、補聴器１０から補聴処理されて出力される音声が補聴器装着者にとって快適に聞こえるように補聴器フィッティング装置１によって補聴器１０を調整した設定条件などを保存している。
【００２６】
なお、補聴器１０は、補聴器１０の通信部１４および補聴器フィッティング装置１の通信部２を介して補聴器フィッティング装置１に有線または無線にて接続されている。
【００２７】
以上のように、本実施形態においては、補聴器フィッティング装置１の表示部８に距離イメージ画像を表示させるとともに、その距離イメージ画像に対応した音源距離からの音声データを補聴器フィッティング装置１の通信部２から補聴器１０に対して出力し、この音声データを聞いて補聴器装着者に「聞こえ」を評価させている。
【００２８】
したがって、補聴器装着者は、補聴器１０のフィッティング時において音源位置からの距離というものを理解した状態でフィッティングを行っているので、例えば、この程度距離が遠ければ聞き取り難いのは当たり前であるとか、あるいは聞き取るためにはもう少し近づく必要があるとかいうことも容易に理解できる。
【００２９】
その結果として、補聴器１０のフィッティングに対して補聴器装着者の満足感を極めて高いものとすることができるのである。
【００３０】
以上の構成において本実施形態では、図１に示す補聴器フィッティング装置１を用いて補聴器１０の調整を行う場合、次のような手順を実行することになる。
【００３１】
図３は本実施形態の補聴器調整作業のフローを示すフローチャートである。
【００３２】
まずは、調整者が補聴器フィッティング装置１の入力部４を操作してフィッティングソフトを起動する（図３のＳ１）。
【００３３】
フィッティングソフトが起動されると、例えば、すでに広く行われているように補聴器装着者の聴力データに基づいて、ＮＡＬ−ＮＬ１，ＮＡＬ−ＮＬ２，ＤＳＬなどのフィッティング理論にしたがって初期フィッティングが行われる（図３のＳ２）。
【００３４】
つまり、初期フィッティングを実行する手順としては、まず補聴器装着者の聴力を測定する（図３のＳ２ａ）。
【００３５】
続いて、測定した聴力データをもとに上述したようなフィッティング理論にしたがって補聴器装着者の聴力に対応した利得が算出される（図３のＳ２ｂ）。
【００３６】
そして、算出した利得が、補聴器１０のメモリ１６に書き込まれて保存される（図３のＳ２ｃ）。
【００３７】
このようにして、初期フィッティングが完了すると、続いて補聴器装着者に評価音を聞かせながら補聴器装着者にとってより好ましい「聞こえ」を実現できるように微調整によって補聴器１０の調整が行われる（図３のＳ３）。
【００３８】
微調整が開始されると、図４に示すように調整者１７は、タブレットパソコン１８（表示部の一例）などを補聴器装着者１９に対して所定の位置に設置する。
【００３９】
例えば、図４のＡに示す位置のように補聴器装着者１９から１ｍ離れた位置にタブレットパソコン１８を設置する。このとき、タブレットパソコン１８の表示画面２０は補聴器装着者１９の方向に向けた状態にしている。
【００４０】
つまり、補聴器装着者１９はタブレットパソコン１８の表示画面２０を見ることができる状態となっているのである。
【００４１】
このとき、表示画面２０には、補聴器装着者１９から１ｍ離れた距離を補聴器装着者１９に対してイメージさせることができる画像が表示されている。すなわち、距離イメージ画像が表示されているのである。
【００４２】
この距離イメージ画像においては、例えば図４に示すように距離を表す指標２１を表示させてもよい。この指標２１は例えば、距離を表す数値などであってもよい。
【００４３】
そして、このようにタブレットパソコン１８の表示画面２０に表示された距離イメージ画像によって補聴器装着者１９に認識させる音源位置の距離に応じた評価音が補聴器１０のスピーカ１１から補聴器装着者１９に対して出力される。
【００４４】
つまり、例えば、図４に示すＡの状態においては補聴器装着者１９から１ｍ離れた距離に位置する音源から聞こえてくるように評価音が出力されるのである（図３のＳ４）。
【００４５】
これに対して、例えば、図４に示すＢの状態は補聴器装着者１９から５ｍ離れた距離に位置する音源から聞こえてくるように評価音が出力される。図４に示すＡの状態に比べて遠い距離を認識させる必要がある図４に示すＢの状態においては、表示画面２０に表示される距離イメージ画像は、例えば、図４に示すＡの状態に比べて人物が小さく表示されている。
【００４６】
また、距離イメージ画像に対応する距離を示す指標として、人物の前方に距離イメージ画像に対応する距離に応じた大きさで表示された机を置いたり、人物の後方に壁を表示したりするなどして補聴器装着者１９が音源位置に対する距離を理解し易くしている。
【００４７】
このようにして補聴器フィッティング装置１の表示部８に表示された距離イメージ画像を見て、補聴器装着者１９は音源位置の距離を認識するとともに、その距離イメージ画像に対応した音源距離からの音声データを補聴器フィッティング装置１の通信部２から補聴器１０に対して出力された評価音を聞いて「聞こえ」に対する評価を行う（図３のＳ５）。
【００４８】
そして、このようにして「聞こえ」に対する評価を行いながら、補聴器装着者１９にとってより快適に聞こえるように補聴器１０の利得を修正する（図３のＳ６）。
【００４９】
補聴器１０の利得を修正すると、その状態を補聴器１０のメモリ１６に書き込みを行って保存する（図３のＳ７）。
【００５０】
このようにして、上述した図３のＳ３に示す工程から図３のＳ６に示す工程を、タブレットパソコン１８の位置を適宜変更しながら、タブレットパソコン１８の位置する距離から聞こえてくる音声に対する「聞こえ」についての評価を実際に音源の位置する距離を理解した状態で繰り返し実施することになるのである。
【００５１】
そして、所望のタブレットパソコン１８の位置についての評価がすべて完了すると、評価を終了する（図３のＳ８）。
【００５２】
つまり、調整者１７が補聴器フィッティング装置１の入力部４を操作してフィッティングソフトを終了させるのである。
【００５３】
以上のように、本実施形態においては、補聴器フィッティング装置１の表示部８であるタブレットパソコン１８の表示画面２０に距離イメージ画像を表示させるとともに、その表示された距離イメージ画像によって補聴器装着者１９に認識させる音源位置の距離に応じた評価音を補聴器１０のスピーカ１１から補聴器装着者１９に対して出力させている。
【００５４】
つまり、このスピーカ１１から出力される評価音を聞いて、補聴器装着者１９に「聞こえ」を評価させている。
【００５５】
したがって、補聴器装着者１９は、補聴器１０のフィッティング時において音源位置からの距離というものを理解した状態でフィッティングを行っているので、評価音を聞いて「聞こえ」を評価した評価結果と音源位置の距離に対する補聴器装着者１９のイメージを合わせることができる。つまり、補聴器装着者１９は、音源からどの程度距離が遠ければ音声が聞き取り難いのかとか、あるいは音声を聞き取るためには音源からどの程度の距離で聞く必要があるとかということを理解できるのである。
【００５６】
その結果として、補聴器１０を実際の生活環境で使用する場面において、例えば、補聴器１０を調整したときの評価音の音源の位置よりもはるかに遠い距離で発せられている音声は、聞き取れなくてもそれは音源の距離が遠いからであるということを補聴器装着者１９は理解できているので、不満を感じることがない。したがって補聴器１０のフィッティングに対して補聴器装着者１９の満足感を極めて高いものとすることができるのである。
【００５７】
なお、本実施形態では、距離イメージ画像として人物を用いて説明したが、これに限定されるものではない。
【００５８】
「聞こえ」を評価したい所望の場面に応じて、距離イメージ画像として表示させる対象を適宜選択して表示させても良い。
【００５９】
例えば、「交差点」、「映画館」、「会議」、「レストラン」、「自宅」などの場面に応じて、「交差点」であれば、例えば行き交う自動車を距離に応じて表示させるようにすれば良いのである。そして、距離イメージ画像として表示させる対象を適宜選択した後に評価を行いたい所望の場面に応じて上述した図３のＳ３から図３のＳ６に示すステップを行って「聞こえ」に対して評価すればよいのである。
【００６０】
また、距離イメージ画像に対応する評価音は、それぞれの場面に応じて、適宜変更しても良い。例えば、「交差点」であれば自動車の行き交う音を評価音とするなどすればよい。
【００６１】
評価音は、適宜選択された場面において、日常的によく使用されるフレーズを使用すると好適である。例えば、「レストラン」を選択した場合には。評価音は、レストランにおいてよく使用される言葉として、例えば「いらっしゃいませ」などのフレーズを使用すればよい。
【００６２】
さらに、距離イメージ画像によって評価する距離の範囲はそれぞれの場面に応じて、適宜変更してもよい。例えば、「交差点」などのように比較的近くから遠くまで音が聞き取りたいような場面は、距離イメージ画像によって評価する距離もそれに応じて近くから遠くまで長い範囲を設定して評価すればよいのである。これに対して「会議」などのように比較的近くの音を重点的に聞き取りたいような場面は、距離イメージ画像によって評価する距離もそれに応じて近く、短い範囲を設定して評価すればよいのである。
【００６３】
このようにすることで、距離イメージ画像を見せることによって補聴器装着者１９に音源の位置に対する距離をさらに理解させ易くすることができるのである。
【産業上の利用可能性】
【００６４】
以上のように本発明の補聴器フィッティング装置と、それを用いた補聴器フィッティング方法においては、補聴器装着者は、補聴器のフィッティング時において音源位置からの距離というものを理解した状態でフィッティングを行っているので、補聴器のフィッティングに対して補聴器装着者の満足感を極めて高いものとすることができる。
【００６５】
したがって、例えば、補聴器の調整において利用される補聴器フィッティング装置と、それを用いた補聴器フィッティング方法としての活用が大いに期待されるものとなるのである。
【符号の説明】
【００６６】
１  補聴器フィッティング装置
２  通信部
３  制御部
４  入力部
５  音声補正部
６  画像音声蓄積部
７  画像補正部
８  表示部
９  メモリ
１０  補聴器
１１  スピーカ
１２  補聴処理部
１３  制御部
１４  通信部
１５  マイクロフォン
１６  メモリ
１７  調整者
１８  タブレットパソコン
１９  補聴器装着者
２０  表示画面
２１  指標
【図１】
2015046663.tif 000003
【図２】
2015046663.tif 000004
【図３】
2015046663.tif 000005
【図４】
2015046663.tif 000006